(57)【要約】【課題】ＬＥＤとカラーフィルタとの組合せにおける分光特性の改善を図る。【解決手段】照明器具は、光源色が白色系の色である一つ以上の第１ＬＥＤと、光源色が白色系の色と異なる一つ以上の第２ＬＥＤとを備える。第１ＬＥＤは、青色の光を放射する第１ＬＥＤチップと、青色の光を青色よりも長波長の光に変換する封止部とを有する。第２ＬＥＤは、総支部で変換された後の長波長の光よりも更に長波長の光を放射する。第２ＬＥＤから放射される光を第１ＬＥＤから放射される光と混合させる。【選択図】        図１１
2020017386.tif 000002
【特許請求の範囲】
【請求項１】
光源色が白色系の色である一つ以上の第１ＬＥＤと、
光源色が前記白色系の色と異なる一つ以上の第２ＬＥＤと、
を備え、
前記第１ＬＥＤは、青色の光を放射する青色ＬＥＤチップと、前記青色の光を前記青色よりも長波長の光に変換する波長変換部材とを有し、
前記第２ＬＥＤは、前記波長変換部材で変換された後の前記長波長の光よりも更に長波長の光を放射し、
前記第２ＬＥＤから放射される光を前記第１ＬＥＤから放射される光と混合させる、
照明器具。
【請求項２】
前記第１ＬＥＤを点灯させる第１点灯回路と、
前記第２ＬＥＤを点灯させる第２点灯回路と
備え、
前記第１ＬＥＤから放射される光が所定のカラーフィルタでフィルタリングされる場合、前記第２点灯回路が前記第２ＬＥＤを点灯させる、
請求項１記載の照明器具。
【請求項３】
前記第２ＬＥＤは、ピーク波長が７００ｎｍ以上の光を放射する、
請求項１又は２記載の照明器具。
【請求項４】
前記第１ＬＥＤの光源色が電球色である、
請求項１〜３のいずれか１項に記載の照明器具。
【請求項５】
前記第１ＬＥＤ、前記第２ＬＥＤ、前記第１点灯回路及び前記第２点灯回路を支持する器具本体と、
前記器具本体に対して前記カラーフィルタを着脱可能に支持する支持部材と
を備える、
請求項２記載の照明器具。
【請求項６】
前記第２ＬＥＤは、第１の波長の光を放射するＬＥＤと、前記第１の波長の光と波長の異なる光を放射するＬＥＤとを含む、
請求項４記載の照明器具。
【発明の詳細な説明】
【技術分野】
【０００１】
本発明は、照明器具に関し、より詳細には、白色のＬＥＤを備えた照明器具に関する。
【背景技術】
【０００２】
従来例として、特許文献１記載の光源装置を例示する。従来例は、青色領域に発光ピークを有する白色光を発する白色ＬＥＤ（Light Emitting Diode）と、白色ＬＥＤから発せられた白色光のうち青色領域の光を部分的に低減する（フィルタリングする）光学フィルタとを備える。
【先行技術文献】
【特許文献】
【０００３】
【特許文献１】特開２０１０−０８７３９３号公報
【発明の概要】
【発明が解決しようとする課題】
【０００４】
ところで、演出照明などにおいては、白色ＬＥＤにカラーフィルタを組み合わせることによって、青色、緑色又は赤色などの白色以外の光を照射することが行われている。しかしながら、ハロゲンランプとカラーフィルタの組合せにおける分光特性と、白色ＬＥＤとカラーフィルタの組合せにおける分光特性との差が大きい。そのため、演出照明などの用途においては、ハロゲンランプからＬＥＤへの置き換えが進みにくくなっている。
【０００５】
本発明の目的は、ＬＥＤとカラーフィルタとの組合せにおける分光特性の改善を図ることのできる照明器具を提供することである。
【課題を解決するための手段】
【０００６】
本発明の一態様に係る照明器具は、光源色が白色系の色である一つ以上の第１ＬＥＤと、光源色が前記白色系の色と異なる一つ以上の第２ＬＥＤとを備える。前記第１ＬＥＤは、青色の光を放射する青色ＬＥＤチップと、前記青色の光を前記青色よりも長波長の光に変換する波長変換部材とを有する。前記第２ＬＥＤは、前記波長変換部材で変換された後の前記長波長の光よりも更に長波長の光を放射する。前記第２ＬＥＤから放射される光を前記第１ＬＥＤから放射される光と混合させる。
【発明の効果】
【０００７】
本発明の照明器具は、ＬＥＤとカラーフィルタとの組合せにおける分光特性の改善を図ることができるという効果がある。
【図面の簡単な説明】
【０００８】
【図１】図１は、本発明の実施形態に係る照明器具の斜視図である。
【図２】図２は、同上の照明器具の一部省略した正面図である。
【図３】図３は、同上の照明器具におけるＬＥＤモジュールの正面図である。
【図４】図４は、同上の照明器具におけるＬＥＤモジュールの側面図である。
【図５】図５は、同上の照明器具における点灯装置及びＬＥＤユニットの回路図である。
【図６】図６は、同上の照明器具の一部省略した分解斜視図である。
【図７】図７は、同上の照明器具の一部省略した斜視図である。
【図８】図８は、カラーフィルタ（青フィルタ）の分光透過率特性を示す図である。
【図９】図９Ａは、ハロゲンランプの分光特性図である。図９Ｂは、同上のハロゲンランプとカラーフィルタ（青フィルタ）を組み合わせたときの分光特性図である。図９Ｃは、同上のハロゲンランプとカラーフィルタ（緑フィルタ）を組み合わせたときの分光特性図である。図９Ｄは、同上のハロゲンランプとカラーフィルタ（赤フィルタ）を組み合わせたときの分光特性図である。
【図１０】図１０Ａは、同上の照明器具における第１ＬＥＤの分光特性図である。図１０Ｂは、同上の第１ＬＥＤとカラーフィルタ（青フィルタ）を組み合わせたときの分光特性図である。図１０Ｃは、同上の第１ＬＥＤとカラーフィルタ（緑フィルタ）を組み合わせたときの分光特性図である。図１０Ｄは、同上の第１ＬＥＤとカラーフィルタ（赤フィルタ）を組み合わせたときの分光特性図である。
【図１１】図１１Ａは、同上の照明器具における第１ＬＥＤ及び第２ＬＥＤとカラーフィルタ（青フィルタ）を組み合わせたときの分光特性図である。図１０Ｂは、同上の第１ＬＥＤ及び第２ＬＥＤとカラーフィルタ（緑フィルタ）を組み合わせたときの分光特性図である。図１１Ｃは、同上の照明器具の変形例１における第１ＬＥＤ及び第２ＬＥＤとカラーフィルタ（赤フィルタ）を組み合わせたときの分光特性図である。
【図１２】図１２は、同上の照明器具の変形例２の斜視図である。
【発明を実施するための形態】
【０００９】
以下、実施形態に係る照明器具１について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
実施形態に係る照明器具１は、ボーダライトと呼ばれる舞台照明用の照明器具である。照明器具１は、図１〜図５に示すように、ＬＥＤユニット２、点灯装置３、本体１０、アーム１１、パネル１２、バンドア１３、取付具１４、落下防止ワイヤ１５、フィルタホルダ１６を備える。
【００１１】
本体１０は、アルミ板などの金属板によって、前面が開口した箱状に形成されている。本体１０の内部にＬＥＤユニット２と点灯装置３が収容される（図２参照）。本体１０の前面の開口は、パネル１２によって塞がれる（図１参照）。パネル１２は、アクリル樹脂などの透光性を有する合成樹脂材料によって長方形の板状に形成されている。なお、本体１０の前端における長手方向の両端にフィルタホルダ１６が各々一つずつ取り付けられている（図１参照）。
【００１２】
アーム１１は、鋼管などの金属材料によってＣ字状に形成されている（図１参照）。アーム１１の長手方向の両端部分は、本体１０の長手方向の両側面に回転可能に取り付けられている。アーム１１の長手方向の中央に取付具１４が取り付けられている（図１参照）。
【００１３】
取付具１４は、金属製の板材によって角筒状に形成されている。取付具１４の一つの側面からダボ１４０が突き出ている。また、取付具１４の他の一つの側面から固定片１４１が突き出ている。固定片１４１には、落下防止ワイヤ１５の一端が結び付けられる（図１参照）。
【００１４】
本体１０には４枚のバンドア１３が着脱可能に取り付けられる（図１参照）。これら４枚のバンドア１３は、アルミ板によって四辺形状に形成されている。なお、各バンドア１３は、パネル１２の前方にかぶさる位置と、パネル１２の前方にかぶさらない位置との間で回転可能となるように本体１０の前端部分に取り付けられる。
【００１５】
ＬＥＤユニット２は、複数（例えば、１４個）の第１ＬＥＤモジュール２１と、複数（例えば、６個）の第２ＬＥＤモジュール２２とを有する（図２参照）。各第１ＬＥＤモジュール２１は、第１ＬＥＤ２１０と、第１ＬＥＤ２１０が実装された第１基板２１１と、第１基板２１１に実装された一対のコネクタ２１２とを有する。各第２ＬＥＤモジュール２２は、第２ＬＥＤ２２０と、第２ＬＥＤ２２０が実装された第２基板２２１と、第２基板２２１に実装された一対のコネクタ２２２とを有する。
【００１６】
第１基板２１１は、長尺の長方形状に形成されている。第１ＬＥＤ２１０は、複数個の第１ＬＥＤチップ２１００と、複数個の第１ＬＥＤチップ２１００を覆って半円柱状に形成された封止部２１０１とを有する（図３及び図４参照）。複数個の第１ＬＥＤチップ２１００は、第１基板２１１の前面の短手方向の中央に、第１基板２１１の長手方向に沿って一定の間隔を空けて実装されている。複数個の第１ＬＥＤチップ２１００は、青色光を放射する青色ＬＥＤである。なお、複数個の第１ＬＥＤチップ２１００は、第１基板２１１の前面に形成されているプリント配線によって電気的に直列接続されている。封止部２１０１は、シリコーン樹脂などの透光性を有する合成樹脂製の封止材に、青色光によって励起されて黄色の可視光を発する蛍光体粉体が混入されて形成されている。つまり、第１ＬＥＤモジュール２１は、青色光と黄色光の混色によって白色光を放射する、いわゆる照明用白色ＬＥＤである。なお、実施形態に係る照明器具１においては、第１ＬＥＤ２１０の光源色を電球色としている。電球色とは、白色系の色（昼光色，昼白色，白色，温白色及び電球色）のうち、相関色温度が２６００Ｋ〜３２５０Ｋの範囲の光源色である。
【００１７】
一対のコネクタ２１２は、正極用のコネクタと負極用のコネクタである。一対のコネクタ２１２は、第１基板２１１の前面における長手方向の両端部分に一つずつ実装されている。各コネクタ２１２は、第１基板２１１の前面に形成されているプリント配線によって、第１ＬＥＤ２１０の正極及び負極と電気的に接続されている。なお、第１ＬＥＤ２１０の正極とは、電気的に直列接続されている複数個の第１ＬＥＤチップ２１００の中の両端の第１ＬＥＤチップ２１００のうち、他の第１ＬＥＤチップ２１００のカソード端子と電気的に接続されていないアノード端子である。また、第１ＬＥＤ２１０の負極とは、電気的に直列接続されている複数個の第１ＬＥＤチップ２１００の中の両端の第１ＬＥＤチップ２１００のうち、他の第１ＬＥＤチップ２１００のアノード端子と電気的に接続されていないカソード端子である。
【００１８】
第２基板２２１は、長尺の長方形状に形成されている。第２ＬＥＤ２２０は、複数個の第２ＬＥＤチップ２２００と、複数個の第２ＬＥＤチップ２２００を覆って半円柱状に形成された封止部２２０１とを有する（図３及び図４参照）。複数個の第２ＬＥＤチップ２２００は、第２基板２２１の前面の短手方向の中央に、第２基板２２１の長手方向に沿って一定の間隔を空けて実装されている。複数個の第２ＬＥＤチップ２２００は、赤色光を放射する赤色ＬＥＤである。なお、複数個の第２ＬＥＤチップ２２００は、第２基板２２１の前面に形成されているプリント配線によって電気的に直列接続されている。封止部２２０１は、シリコーン樹脂などの透光性を有する合成樹脂製の封止材によって形成されている。つまり、第２ＬＥＤモジュール２２は、赤色光を放射する。
【００１９】
一対のコネクタ２２２は、正極用のコネクタと負極用のコネクタである。一対のコネクタ２２２は、第２基板２２１の前面における長手方向の両端部分に一つずつ実装されている。各コネクタ２２２は、第２基板２２１の前面に形成されているプリント配線によって、第２ＬＥＤ２２０の正極及び負極と電気的に接続されている。なお、第２ＬＥＤ２２０の正極とは、電気的に直列接続されている複数個の第２ＬＥＤチップ２２００の中の両端の第２ＬＥＤチップ２２００のうち、他の第２ＬＥＤチップ２２００のカソード端子と電気的に接続されていないアノード端子である。また、第２ＬＥＤ２２０の負極とは、電気的に直列接続されている複数個の第２ＬＥＤチップ２２００の中の両端の第２ＬＥＤチップ２２００のうち、他の第２ＬＥＤチップ２２００のアノード端子と電気的に接続されていないカソード端子である。
【００２０】
ＬＥＤユニット２は、図２に示すように、１４個の第１ＬＥＤモジュール２１と６個の第２ＬＥＤモジュール２２を、各々の短手方向と本体１０の長手方向を一致させて等間隔に並ぶように本体１０内に収容されている。ただし、６個の第２ＬＥＤモジュール２２の各々は、２個の第２ＬＥＤモジュール２２の間に２個の第１ＬＥＤモジュール２１を挟むように配置されている。なお、ＬＥＤユニット２を構成するＬＥＤモジュールの個数は２０個に限定されない。また、ＬＥＤユニット２を構成する第１ＬＥＤモジュール２１及び第２ＬＥＤモジュール２２のそれぞれの個数は１４個と６個に限定されず、例えば、第１ＬＥＤモジュール２１と第２ＬＥＤモジュール２２の個数が同数であってもかまわない。
【００２１】
点灯装置３は、図５に示すように、電源回路３０、第１点灯回路３１、第２点灯回路３２及び制御回路３３を備える。電源回路３０は、商用の交流電源９から供給される交流電力を直流電力に変換する。電源回路３０は、例えば、ダイオードブリッジなどの全波整流器、平滑コンデンサ及び力率改善回路（昇圧チョッパ回路）を有することが好ましい。電源回路３０は、交流電力から変換した直流電力を、第１点灯回路３１を介して複数個の第１ＬＥＤモジュール２１に供給し、かつ、第２点灯回路３２を介して複数個の第２ＬＥＤモジュール２２に供給する。
【００２２】
第１点灯回路３１は、複数個の第１ＬＥＤモジュール２１に一定の電流が流れるように、電源回路３０から複数個の第１ＬＥＤモジュール２１に供給される直流電力を調整する。第２点灯回路３２は、複数個の第２ＬＥＤモジュール２２に一定の電流が流れるように、電源回路３０から複数個の第２ＬＥＤモジュール２２に供給される直流電力を調整する。
【００２３】
制御回路３３は、中央演算処理装置（CPU:Central Processing Unit）及びメモリなどを有するマイクロコントローラで構成されることが好ましい。制御回路３３は、メモリに格納されているプログラムを中央演算処理装置に実行させることにより、第１点灯回路３１及び第２点灯回路３２を制御して照明光（ＬＥＤユニット２から放射される光）を調光する。また、制御回路３３は、調光操作卓と呼ばれるコントローラからコマンドを受信し、当該コマンドで要求される調光レベルに照明光の光量を一致させるように第１点灯回路３１及び第２点灯回路３２を制御することが好ましい。
【００２４】
調光操作卓（コントローラ）は、フェーダと呼ばれる入力デバイスを少なくとも二つ備える。一つのフェーダの操作位置が、第１ＬＥＤモジュール２１の照明光の光量に対応し、他の一つのフェーダの操作位置が、第２ＬＥＤモジュール２２の照明光の光量に対応する。つまり、調光操作卓は、オペレータ（操作者）に操作されるフェーダの操作位置に基づき、第１ＬＥＤモジュール２１及び第２ＬＥＤモジュール２２の各光量の指示値を生成し、生成した指示値を含むコマンドを点灯装置３の制御回路３３に伝送することが好ましい。なお、調光操作卓から照明器具１の制御回路３３に対する信号伝送は、例えば、ＤＭＸ５１２等の規格化された通信プロトコルにのっとって行われることが好ましい。
【００２５】
ところで、演出照明においては、白色の照明光の色彩を調整したり変換したりする目的でカラーフィルタ（色フィルタ）が用いられる。一般に、カラーフィルタは、ガラスやアクリル樹脂、あるいは樹脂フィルムシートからなる基材に種々の色素を含有させ、当該色素の分光吸収特性によって目的とする分光透過率特性を作り出している。
【００２６】
カラーフィルタ４は、パネル１２の前面に配置される。カラーフィルタ４は、パネル１２の前面に配置された状態において、本体１０の長手方向の両端に着脱可能に取り付けられる一対のフィルタホルダ１６によって本体１０に取り付けられる（図６及び図７参照）。
【００２７】
図８は、白色の照明光を青色の照明光に変換するためのカラーフィルタ４（青フィルタ）の分光透過率特性の一例を示している。このカラーフィルタ４の分光透過率特性は、波長が３８０〜４８０ｎｍの範囲における分光透過率が８５％であり、波長が４８０ｎｍよりも長くなるにつれて分光透過率が徐々に低下し、６００ｎｍから６８０ｎｍの範囲における分光透過率特性がおよそ０％である。ただし、このようなカラーフィルタの一般的な分光透過率特性として、含有される色素の特性に起因して、７００ｎｍ以上の近赤外域における分光透過率が高くなっている（図８参照）。
【００２８】
ここで、ハロゲンランプの可視光領域における分光特性（分光エネルギ比）を図９Ａに示す。ハロゲンランプは、近紫外から近赤外までの可視領域において、波長が長くなるにつれて、比エネルギ（光エネルギのピークを１００とした比率）が徐々に増加するという分光特性を有している。そして、ハロゲンランプに青フィルタのカラーフィルタ４が組み合わされた場合、ハロゲンランプの分光特性は図９Ｂに示すように変化する。つまり、ハロゲンランプから放射される可視光のうち、約４６０ｎｍをピークとする３９０〜５３０ｎｍの範囲の光（青色光）と、約７００ｎｍ以上の光（赤色光）が青フィルタ（カラーフィルタ４）を通過する。ゆえに、ハロゲンランプに青フィルタ（カラーフィルタ４）を組み合わせたときの照明光は、青色光と赤色光のみが含まれることになる。
【００２９】
また、ハロゲンランプに緑フィルタ（５３０ｎｍをピークとし、４６０ｎｍ〜６１０ｎｍの範囲の光を透過するカラーフィルタ４）を組み合わせた場合の照明光の分光特性を図９Ｃに示す。さらに、ハロゲンランプに赤フィルタ（６１０ｎｍ以上の光を透過するカラーフィルタ４）を組み合わせた場合の照明光の分光特性を図９Ｄに示す。
【００３０】
一方、照明器具１のＬＥＤユニット２において、第１ＬＥＤモジュール２１の可視光領域における分光特性（分光エネルギ比）を図１０Ａに示す。第１ＬＥＤモジュール２１の照明光は、第１ＬＥＤチップ２１００から放射される青色光（４５０ｎｍをピークとする光）と、蛍光体によって青色光から変換された黄色光（６１０ｎｍをピークとする光）とを含んでいる。そして、第１ＬＥＤモジュール２１に青フィルタのカラーフィルタ４が組み合わされた場合、第１ＬＥＤモジュール２１の分光特性は図１０Ｂに示すように変化する。つまり、第１ＬＥＤモジュール２１から放射される可視光のうち、第１ＬＥＤチップ２１００から放射される青色光と、約７００ｎｍ以上の光（赤色光）が青フィルタ（カラーフィルタ４）を通過する。しかしながら、第１ＬＥＤモジュール２１の分光特性において、７００ｎｍ以上の光の比エネルギは、青色光の比エネルギの約１０分の１しかない。ゆえに、第１ＬＥＤモジュール２１に青フィルタ（カラーフィルタ４）を組み合わせたときの照明光は、ハロゲンランプに青フィルタを組み合わせたときの照明光に比べて、赤色光の比エネルギが相当に低くなる。なお、第１ＬＥＤモジュール２１に緑フィルタを組み合わせた場合（図１０Ｃ参照）、及び、第１ＬＥＤモジュール２１に赤フィルタを組み合わせた場合（図１０Ｄ参照）のいずれにおいても、ハロゲンランプに比べて赤色光の比エネルギが相当に低くなる。
【００３１】
その結果、ハロゲンランプを使用する従来の照明器具とカラーフィルタを組み合わせたときの照明光と、照明用白色ＬＥＤを使用する照明器具１とカラーフィルタ４を組み合わせたときの照明光との分光特性の違いにより、演出効果の違いが大きくなっている。
【００３２】
そこで、照明器具１では、赤色光を放射する第２ＬＥＤモジュール２２をＬＥＤユニット２に追加している。照明器具１の制御回路３３は、例えば、調光操作卓から受け取るコマンドに応じて、カラーフィルタ４が使用される場合に第１点灯回路３１に第１ＬＥＤモジュール２１を点灯させ、かつ、第２点灯回路３２に第２ＬＥＤモジュール２２を点灯させる。
【００３３】
このように、カラーフィルタ４（青フィルタ）との組合せにおいて、第１ＬＥＤモジュール２１と第２ＬＥＤモジュール２２を両方とも点灯させた場合の照明光の分光特性を図１１Ａに示す。図１１Ａに示す照明光の分光特性は、図１０Ｂに示す照明光の分光特性に比べて、図９Ｂに示すハロゲンランプを点灯させた場合の照明光の分光特性に近付いている。同様に、カラーフィルタ４（緑フィルタ）との組合せにおいて、第１ＬＥＤモジュール２１と第２ＬＥＤモジュール２２を両方とも点灯させた場合の照明光の分光特性を図１１Ｂに示す。図１１Ｂに示す照明光の分光特性は、図１０Ｃに示す照明光の分光特性に比べて、図９Ｃに示すハロゲンランプを点灯させた場合の照明光の分光特性に近付いている。
【００３４】
上述のように照明器具１では、カラーフィルタ４が使用される場合に第２ＬＥＤモジュール２２の光（赤色光）を追加するので、カラーフィルタ４を通して照明空間に照射される照明光の分光特性の改善を図ることができる。ただし、「分光特性の改善」とは、カラーフィルタ４と組み合わせたときの照明光の分光特性を、ハロゲンランプとカラーフィルタ４を組み合わせたときの照明光の分光特性に近付けることを意味している。
【００３５】
ここで、実施形態に係る照明器具１の変形例１を説明する。変形例１の照明器具１は、第２ＬＥＤモジュール２２の第２ＬＥＤ２２０が、互いに波長の異なる２種類のＬＥＤ（ＬＥＤチップ）を有する。２種類のＬＥＤは、例えば、７００ｎｍにピークを有する光を放射するＬＥＤチップと、６５０ｎｍにピークを有する光を放射するＬＥＤチップである。変形例１の照明器具１において、赤フィルタ（６１０ｎｍ以上の光を透過するカラーフィルタ４）を組み合わせた場合の照明光の分光特性を図１１Ｃに示す。変形例１の照明器具１は、カラーフィルタ４（赤フィルタ）との組合せにおいて、照明光の分光特性を、ハロゲンランプと赤フィルタの組合せにおける分光特性（図９Ｄ参照）に近付けることができる。
【００３６】
次に、実施形態に係る照明器具１の変形例２を説明する。変形例２の照明器具１は、実施形態に係る照明器具１と同じく演出空間用照明器具の１種である、アッパーホリゾントライトである。変形例２の照明器具１は、図１２に示すように、舞台の上に設置された照明器具つり下げ用パイプ８につり下げられる。なお、変形例２の照明器具１において、実施形態に係る照明器具１と機能が共通する構成要素については同一の符号を付して説明を省略する。変形例２の照明器具１においても、カラーフィルタ４と組み合わされたときの照明光の分光特性を、ハロゲンランプとカラーフィルタ４の組合せにおける分光特性に近付けることができる。
【００３７】
上述のように第１の態様に係る照明器具（１）は、光源色が白色系の色である一つ以上の第１ＬＥＤ（２１０）と、光源色が前記白色系の色と異なる一つ以上の第２ＬＥＤ（２２０）とを備える。第１ＬＥＤ（２１０）は、青色の光を放射する青色ＬＥＤチップ（第１ＬＥＤチップ２１００）と、青色の光を青色よりも長波長の光に変換する波長変換部材（封止部２１０１）とを有する。第２ＬＥＤ（２２０）は、波長変換部材で変換された後の長波長の光よりも更に長波長の光を放射する。第２ＬＥＤ（２２０）から放射される光を第１ＬＥＤ（２１０）から放射される光と混合させる。
【００３８】
第１の態様に係る照明器具（１）は、カラーフィルタ（４）が使用される場合に第２ＬＥＤ（２２０）から放射される光を第１ＬＥＤ（２１０）から放射される光に混合する。その結果、第１の態様に係る照明器具（１）は、ＬＥＤとカラーフィルタ（４）との組合せにおける分光特性の改善を図ることができる。
【００３９】
第２の態様に係る照明器具（１）は、第１の態様との組合せにより実現され得る。第２の態様に係る照明器具（１）において、第１ＬＥＤ（２１０）を点灯させる第１点灯回路（３１）と、第２ＬＥＤ（２２０）を点灯させる第２点灯回路（３２）とを備えることが好ましい。第１ＬＥＤ（２１０）から放射される光が所定のカラーフィルタ（４）でフィルタリングされる場合、第２点灯回路（３２）が第２ＬＥＤ（２２０）を点灯させることが好ましい。
【００４０】
第２の態様に係る照明器具（１）は、ＬＥＤとカラーフィルタ（４）との組合せにおける分光特性の改善を確実に図ることができる。
【００４１】
第３の態様に係る照明器具（１）は、第１又は第２の態様との組合せにより実現され得る。第３の態様に係る照明器具（１）において、第２ＬＥＤ（２２０）は、ピーク波長が７００ｎｍ以上の光を放射することが好ましい。
【００４２】
第３の態様に係る照明器具（１）は、第１ＬＥＤ（２１０）から放射される光に長波長の光を足すことによって、ＬＥＤとカラーフィルタ（４）との組合せにおける分光特性の更なる改善を図ることができる。
【００４３】
第４の態様に係る照明器具（１）は、第１〜第３の態様のいずれかの態様との組合せにより実現され得る。第４の態様に係る照明器具（１）において、第１ＬＥＤ（２１０）の光源色は電球色であることが好ましい。
【００４４】
第４の態様に係る照明器具（１）は、第１ＬＥＤ（２１０）の光源色が電球色である場合において、ＬＥＤとカラーフィルタ（４）との組合せにおける分光特性の更なる改善を図ることができる。
【００４５】
第５の態様に係る照明器具（１）は、第２の態様との組合せにより実現され得る。第５の態様に係る照明器具（１）は、第１ＬＥＤ（２１０）、第２ＬＥＤ（２２０）、第１点灯回路（３１）及び第２点灯回路（３２）を支持する器具本体（本体１０）とを備えることが好ましい。第５の態様に係る照明器具（１）は、器具本体に対してカラーフィルタ（４）を着脱可能に支持する支持部材（フィルタホルダ１６）を更に備えることが好ましい。
【００４６】
第５の態様に係る照明器具（１）は、器具本体に対するカラーフィルタ（４）の装着を容易に行うことができる。
【００４７】
第６の態様に係る照明器具（１）は、第４の態様との組合せにより実現され得る。第６の態様に係る照明器具（１）において、第２ＬＥＤ（２２０）は、第１の波長の光を放射するＬＥＤと、前記第１の波長の光と波長の異なる光を放射するＬＥＤとを含むことが好ましい。
【００４８】
第６の態様に係る照明器具（１）は、赤色を透過させるカラーフィルタ（４）との組合せにおいて、照明光の分光特性を、ハロゲンランプとカラーフィルタ（４）の組合せにおける分光特性に近付けることができる。その結果、第６の態様に係る照明器具（１）は、ＬＥＤとカラーフィルタ（４）との組合せにおける分光特性の更なる改善を図ることができる。
【符号の説明】
【００４９】
１  照明器具
４  カラーフィルタ
１０  本体（器具本体）
１６  フィルタホルダ（支持部材）
３１  第１点灯回路
３２  第２点灯回路
２１０  第１ＬＥＤ
２２０  第２ＬＥＤ
２１００  第１ＬＥＤチップ（青色ＬＥＤチップ）
【図１】
2020017386.tif 000003
【図２】
2020017386.tif 000004
【図３】
2020017386.tif 000005
【図４】
2020017386.tif 000006
【図５】
2020017386.tif 000007
【図６】
2020017386.tif 000008
【図７】
2020017386.tif 000009
【図８】
2020017386.tif 000010
【図９】
2020017386.tif 000011
【図１０】
2020017386.tif 000012
【図１１】
2020017386.tif 000013
【図１２】
2020017386.tif 000014